(57)【要約】【課題】WとRとGとBの4色の発光が可能なELディスプレイにおいて、電力低減効果を損なわず、解像感の向上を図る。【解決手段】WとRとGとBの4色発光が可能なELディスプレイと、RGB入力信号からW'信号を作成するW信号変換手段と、W'信号よりW'信号の高周波部分を検出する手段と、W出力信号とRGB入力信号からELディスプレイに表示するためのRGB出力信号を作成するRGB変換手段とWRGB信号をELディスプレイの各副画素位置に応じて遅延させる画素ずらし手段から構成されるディスプレイ装置では、W信号補正手段は無彩色信号の高周波成分がない場合はゲイン1を乗じてW信号を出力する一方、無彩色信号の高周波成分が存在する場合はゲインを減じて出力することで、無彩度信号においてもRGB変換手段の出力信号比率を増加させ、画素ずらしにおける解像感の向上を図るとともに、一般の画像では、全体に占める高周波部分の割合がそれほど多く無い為電力を大きく増加せしめない。【選択図】図１
2006243439.tif 000002
【特許請求の範囲】
【請求項１】
ＲＧＢ入力画像信号に応じた画像を表示するＲＧＢＷからなるディスプレイの表示装置であって、
前記ディスプレイと、
前記ＲＧＢ入力画像信号から無彩色成分であるＷ１信号を作成するＷ信号変換手段と、
Ｗ１信号よりＷ１信号の高周波成分を検出するための高周波部検出手段と、
前記高周波部検出手段の出力に応じて、前記Ｗ１信号のレベルを制御しＷ２信号を出力するＷ信号補正手段と、
前記Ｗ２信号と前記ＲＧＢ入力画像信号からＲ１、Ｇ１、Ｂ１信号を作成するＲＧＢ変換手段と、
前記Ｗ２信号と前記Ｒ１、Ｇ１、Ｂ１信号を前記ディスプレイの副画素の配置位置に応じて遅延させ、前記ディスプレイに表示するためのＷｏｕｔ、Ｒｏｕｔ、Ｇｏｕｔ、Ｂｏｕｔ信号を出力する画素ずらし手段を有し、
前記Ｗ信号補正手段は、前記Ｗ１信号の高周波成分がない場合はゲイン１を乗じてＷ２信号を出力し、前記Ｗ１信号の高周波成分がある場合はゲインを減じてＷ２信号を出力することを特徴とするディスプレイ装置。
【請求項２】
前記高周波部検出手段は、Ｗ１信号の高周波成分を抽出するＨＰＦと、ＨＰＦから出力される正負両波の高周波成分を正側のみの信号とするための絶対値化手段と、絶対値化手段の出力を平滑するＬＰＦと、ＬＰＦの出力データのレベルを補正するレベル補正手段を有し、Ｗ’信号に高周波成分がある場合には、前記Ｗ信号補正手段のゲインを減じるような制御信号を出力する請求項１記載のディスプレイ表示装置。
【請求項３】
前記ＨＰＦは、ディスプレイが画素ずらしを実施しない場合に表示可能な最大周波数以上を抽出することが可能な請求項２のディスプレイ表示装置。
【請求項４】
前記レベル補正手段は、前記ＬＰＦから出力されるデータが非常に小さい場合は、前記Ｗ信号補正手段のゲインを減じないような制御信号を出力し、前記ＬＰＦから出力されるデータが一定以上のレベルであれば、前記Ｗ信号補正手段のゲインを大きく減じるような制御信号を出力することを特徴とする請求項２記載のディスプレイ表示装置。
【請求項５】
前記Ｗ信号補正手段は、前記Ｗ１入力信号に前記高周波部検出手段の出力を乗ずるための乗算手段と、前記乗算手段の出力を補正するゲイン補正手段と、前記Ｗ１入力信号より前記ゲイン補正手段の出力信号を減じる減算手段を有し、前記高周波部検出手段の出力に基づいて、前記Ｗ１信号のゲインを制御して前記Ｗ２信号を出力する請求項１記載のディスプレイ装置。
【請求項６】
前記Ｗ信号補正手段は、Ｗ１信号に高周波成分が存在する場合、パネルに表示する画像の解像度が最も向上するように前記Ｗ１信号のゲインを制御して前記Ｗ２信号を出力する請求項１記載のディスプレイ装置。
【請求項７】
前記Ｗ信号補正手段は、Ｗ１信号に高周波成分が存在する場合、パネルに表示するＷとＲ＋Ｇ＋Ｂが同じ輝度になるように前記Ｗ１信号のゲインを制御して前記Ｗ２信号を出力する請求項１記載のディスプレイ装置。
【請求項８】
前記画素ずらし手段は、１画素内における副画素の配列がＲＧＢＷの順番の場合、Ｇ信号を１副画素分遅延させる遅延手段１と、Ｂ信号を２副画素分遅延させる遅延手段２と、Ｗ信号を３画素分遅延させる遅延手段３を有する、請求項１記載のディスプレイ装置。
【請求項９】
前記画素ずらし手段は、１画素内における副画素の配列がＲＧＢＷの順番の場合、Ｒ、Ｇ、Ｂの各信号を１副画素分遅延させる遅延手段１と、Ｗ信号を３画素分遅延させる遅延手段３を有し、ＲＧＢを１副画素、Ｗを１副画素とみなして画素ずらしを行うことで、高周波部における偽色の発生を抑制することを特徴とする請求項１記載のディスプレイ装置。
【請求項１０】
前記画素ずらし手段におけるＲＧＢＷの順番は、輝度成分の多いＧとＷが１副画素離れていることを特徴とする請求項９記載のディスプレイ装置。
【発明の詳細な説明】
【技術分野】
【０００１】
本発明は、入力画像信号に応じた画像を表示するディスプレイ表示装置、特にＥＬディスプレイの表示装置に関するものである。
【背景技術】
【０００２】
ＥＬディスプレイは、通常赤色（以後Ｒ）、緑色（以後Ｇ）、青色（以後Ｂ）の３色の副画素を有する画素で表示される（以後３色ＥＬディスプレイ）。しかし、最近では、図２に示すようにＲ、Ｇ、Ｂに白色（以下Ｗ）を加えた４色の副画素を有する画素で構成されるものが発表されている（以後４色ＥＬディスプレイ）。これは、白色ＥＬ発光層を使用し、これにＲ、Ｇ及びＢの各カラーフィルターを付け、Ｗにはカラーフィルターを付けないものが一般的である。（特許文献１等）
このようなＲＧＢＷ４色の副画素を持つ４色ＥＬディスプレイの表示方法について、液晶を始めとする受光型のディスプレイにについては特許文献２に示されるような方法が記載されているが、ＥＬディスプレイのような自発光のものについては詳しい記載がなされているものは無い。しかしながら、４色ＥＬディスプレイを採用する目的が電力低減であることは明確であり、これは一般的な画像のＲＧＢ入力信号において多くの割合を占める無彩色の白色信号を可能な限り透過率の高いＷの副画素に表示することで実現可能となる。また、小型ＡＶ用ディスプレイでは、解像度の向上を図るため画素ずらしを行うことが一般的である。４色ＥＬディスプレイにおける画素ずらしについて記載されているものは無いが、３色ＥＬディスプレイと同様な手法で考えた場合について従来構成を示す。
【０００３】
このような４色ＥＬディスプレイを表示するための構成を図１０に示す。
【０００４】
図１０に示すＥＬディスプレイ装置は、Ｗ信号変換手段１、ＲＧＢ信号変換手段４、画素ずらし手段５、ＥＬディスプレイ６を備える。Ｗ信号変換手段１はＲＧＢ入力信号から白色成分であるＷ１信号を作成する。ＲＧＢ信号変換手段４はＲＧＢ入力信号からＷ１を減じたＲ１、Ｇ１、Ｂ１信号を作成する。画素ずらし手段は、Ｗ１、Ｒ１、Ｇ１、Ｂ１信号をＥＬディスプレイ６の画素配列に応じて遅延させ、Ｗｏｕｔ、Ｒｏｕｔ、Ｇｏｕｔ、Ｂｏｕｔ信号をＥＬディスプレイ６に出力して表示する。
【０００５】
図１１（ａ）、（ｂ）はＥＬディスプレイ装置の画素構成の例を示す。図１１に示すように１画素はＲ、Ｇ、Ｂ、Ｗの各副画素から構成される。ＡＶ用パネルでは、斜め解像度の向上や画素ずらしにおける偽色の緩和のために、図１１（ｂ）に示すようなΔ配列構成をとっているものも多い。
図１２に従来のＥＬディスプレイ装置における画素ずらしの構成の例を示す。
図１２において遅延手段１０１はＧ信号を１副画素分遅延させ、遅延手段１０２はＢ信号を２副画素分遅延させ、遅延手段１０３はＷ信号を３画素分遅延させる。これは、１画素内における副画素の配列が図１１に示すようにＲＧＢＷの順番の場合に有効であり、この副画素の配列順番が異なる場合は、図１２における遅延手段の構成を変更する必要がある。
【０００６】
図１３は、４色ＥＬディスプレイに白色の信号が入力された場合の概念図を示す。
【０００７】
図１３（ａ）はＲ、Ｇ、Ｂの入力信号であり、白色の場合は、Ｒ、Ｇ、Ｂのレベルが概同じである。３色ディスプレイに表示する場合は図１３（ａ）の入力信号をそのまま印加すれば良い。一方、４色ＥＬディスプレイに表示する場合には、図１３（ｂ）に示すようにＷｏｕｔ信号のみを印加すれば良く、Ｒｏｕｔ、Ｇｏｕｔ、Ｂｏｕｔの各信号は０となる。もちろん、ＷとＲ＋Ｇ＋Ｂの白色色度が異なる場合には、上記出力に対し、若干の補正が必要である。また、ここではＷとＲ＋Ｇ＋Ｂの白色輝度が同一であるということを前提に概念を説明しているが、ＷとＲ＋Ｇ＋Ｂの白色輝度が異なる場合は、補正が必要になる。
【０００８】
Ｒ、Ｇ、Ｂの３色から構成されるＥＬディスプレイと４色ＥＬディスプレイの電力について以下に説明する。ここでは、Ｗ、Ｒ、Ｇ、Ｂの各副画素に同一の電流と電圧を印加した場合（Ｒ、Ｇ、Ｂ、Ｗの各副画素の電力が同一の場合）にＷとＲ＋Ｇ＋Ｂの電力が同じであること、また、３色ＥＬディスプレイ及び４色ＥＬディスプレイの両方が白色ＥＬ発光層を使用しこれにカラーフィルターを付けたものであること、電流密度によって発光効率が変わらないことを前提に説明する。
【０００９】
図１３（ａ）の入力信号において、３色ＥＬディスプレイの電力を３（Ｒ、Ｇ、Ｂを各１）とする。この場合、４色ＥＬディスプレイの電力はＷのみの発光となるため１となり、電力は１／３となる。一方、例えばＲのみの入力信号においては、３色ＥＬディスプレイも４色ＥＬディスプレイも１となり変わらない。ここで、前述のとおり、一般的な画像のＲＧＢ入力信号において無彩色である白色成分の比率が多いため、平均すると電力は概１／２程度まで低減される。
【特許文献１】特開２００４−３３４２０４号公報
【特許文献２】特開２００１−１４７６６６号公報
【発明の開示】
【発明が解決しようとする課題】
【００１０】
しかしながら、４色ＥＬディスプレイにおいては、無彩色の信号が入力された場合、画素ずらしによる解像度向上の効果が得られない。図１４に従来のＥＬディスプレイにおいて、高周波の無彩色を表示した場合の概念図を示す。図１３に示すように無彩色の白色を表示した場合には、高周波信号の有無に関わらず、ＥＬディスプレイのＷ画素のみが発光する。そのため、図１４に示すような高周波信号が入力された場合においても、ＥＬディスプレイに示されるような低い周波数に折りかえった表示となる。
【００１１】
この現象を改善するため、図１５に示すように、白色の入力信号をＷｏｕｔのみで表示せず、Ｗｏｕｔ、Ｒｏｕｔ、Ｇｏｕｔ、Ｂｏｕｔで表示することは可能であるが、その場合は電力が図１３の場合に対し２倍となる。実際には、単位面積あたりの発光輝度が増加すると若干ではあるが発光効率が低下する場合が多く、４色ＥＬディスプレイの最大の特徴である電力低減効果が大きく損なわれる。電力低減効果が損なわれると、無効電力によるＥＬディスプレイの温度上昇が発生する。図１６に一般的な有機ＥＬディスプレイの温度と輝度半減寿命の相関を示すが、このような温度上昇は、輝度半減寿命の劣化を招くこととなる。
【００１２】
本発明の目的は、４色ＥＬディスプレイの特徴である電力低減効果を維持しつつ、画素ずらしにおける解像感の向上を図ることであり、加えて温度上昇による画面全体の輝度半減寿命を損なわないことである。
【課題を解決するための手段】
【００１３】
請求項１記載の発明は、
ＲＧＢ入力画像信号に応じた画像を表示するＲＧＢＷからなるディスプレイの表示装置であって、前記ディスプレイと、前記ＲＧＢ入力画像信号から無彩色成分であるＷ１信号を作成するＷ信号変換手段と、Ｗ１信号よりＷ１信号の高周波成分を検出するための高周波部検出手段と、前記高周波部検出手段の出力に応じて、前記Ｗ１信号のレベルを制御しＷ２信号を出力するＷ信号補正手段と、前記Ｗ２信号と前記ＲＧＢ入力画像信号からＲ１、Ｇ１、Ｂ１信号を作成するＲＧＢ変換手段と、前記Ｗ２信号と前記Ｒ１、Ｇ１、Ｂ１信号を前記ディスプレイの副画素の配置位置に応じて遅延させ、前記ディスプレイに表示するためのＷｏｕｔ、Ｒｏｕｔ、Ｇｏｕｔ、Ｂｏｕｔ信号を出力する画素ずらし手段を有し、前記Ｗ信号補正手段は、前記Ｗ１信号の高周波成分がない場合はゲイン１を乗じてＷ２信号を出力し、前記Ｗ１信号の高周波成分がある場合はゲインを減じてＷ２信号を出力することを特徴とするディスプレイ装置であり、
上記Ｗ１信号の高周波成分に応じた制御により、４色ディスプレイの表示装置の特徴である電力低減効果の悪化を最小限にとどめ、画素ずらしによる解像感の向上を図ることを特徴とするディスプレイ装置である。
【００１４】
請求項２記載の発明は、
前記高周波部検出手段は、Ｗ１信号の高周波成分を抽出するＨＰＦと、ＨＰＦから出力される正負両波の高周波成分を正側のみの信号とするための絶対値化手段と、絶対値化手段の出力を平滑するＬＰＦと、ＬＰＦの出力データのレベルを補正するレベル補正手段を有し、Ｗ１信号に高周波成分がある場合には、前記Ｗ信号補正手段のゲインを減じるような制御信号を出力する請求項１記載のディスプレイ表示装置である。
【００１５】
請求項３記載の発明は、
前記ＨＰＦは、ディスプレイが画素ずらしを実施しない場合に表示可能な最大周波数以上を抽出することが可能な請求項２のディスプレイ表示装置である。
【００１６】
請求項４記載の発明は、
前記レベル補正手段は、前記ＬＰＦから出力されるデータが非常に小さい場合は、前記Ｗ信号補正手段のゲインを減じないような制御信号を出力し、前記ＬＰＦから出力されるデータが一定以上のレベルであれば、前記Ｗ信号補正手段のゲインを大きく減じるような制御信号を出力することを特徴とする請求項２記載のディスプレイ表示装置である。
【００１７】
請求項５記載の発明は、
前記Ｗ信号補正手段は、前記Ｗ１入力信号に前記高周波部検出手段の出力を乗ずるための乗算手段と、前記乗算手段の出力を補正するゲイン補正手段と、前記Ｗ１入力信号より前記ゲイン補正手段の出力信号を減じる減算手段を有し、前記高周波部検出手段の出力に基づいて、前記Ｗ１信号のゲインを制御して前記Ｗ２信号を出力する請求項１記載のディスプレイ装置である。
【００１８】
請求項６記載の発明は、
前記Ｗ信号補正手段は、Ｗ１信号に高周波成分が存在する場合、パネルに表示する画像の解像度が最も向上するように前記Ｗ１信号のゲインを制御して前記Ｗ２信号を出力する請求項１記載のディスプレイ装置である。
【００１９】
請求項７記載の発明は、
前記Ｗ信号補正手段は、Ｗ１信号に高周波成分が存在する場合、パネルに表示するＷとＲ＋Ｇ＋Ｂが同じ輝度になるように前記Ｗ１信号のゲインを制御して前記Ｗ２信号を出力する請求項１記載のディスプレイ装置である。
【００２０】
請求項８記載の発明は、
前記画素ずらし手段は、１画素内における副画素の配列がＲＧＢＷの順番の場合、Ｇ信号を１副画素分遅延させる遅延手段１と、Ｂ信号を２副画素分遅延させる遅延手段２と、Ｗ信号を３画素分遅延させる遅延手段３を有する、請求項１記載のディスプレイ装置である。
【００２１】
請求項９記載の発明は、
前記画素ずらし手段は、１画素内における副画素の配列がＲＧＢＷの順番の場合、Ｒ、Ｇ、Ｂの各信号を１副画素分遅延させる遅延手段１と、Ｗ信号を３画素分遅延させる遅延手段３を有し、ＲＧＢを１副画素、Ｗを１副画素とみなして画素ずらしを行うことで、高周波部における偽色の発生を抑制することを特徴とする請求項１記載のディスプレイ装置である。
【００２２】
請求項１０記載の発明は、
前記画素ずらし手段におけるＲＧＢＷの順番は、輝度成分の多いＧとＷが１副画素離れていることを特徴とする請求項９記載のディスプレイ装置である。
【発明の効果】
【００２３】
以上により電力低減の可能な４色ディスプレイにおいて、上記Ｗ１信号の高周波成分に応じた制御により、４色ディスプレイの表示装置の特徴である電力低減効果の悪化を最小限にとどめ、画素ずらしによる解像感の向上を図ることが可能である。
【発明を実施するための最良の形態】
【００２４】
以下、本発明に係るディスプレイ装置について説明する。
（実施例１）
図１は、本発明の実施例によるＥＬディスプレイ装置の構成を示すブロック図である。
【００２５】
図１に示すＥＬディスプレイ装置は、Ｗ信号変換手段１、高周波部検出手段２、Ｗ信号補正手段３、ＲＧＢ信号変換手段４、画素ずらし手段５、ＥＬディスプレイ６を備える。Ｗ信号変換手段１はＲＧＢ入力信号から白色成分であるＷ１信号を作成する。このＷ１信号は４色ＥＬディスプレイにおいて電力を最小にする出力である。高周波部検出手段２は、Ｗ１信号よりＷ１信号の高周波成分を検出し高周波成分の有無に応じた結果を出力する。Ｗ信号補正手段３は、高周波部検出手段の出力結果に応じて、前記Ｗ１信号のレベルを制御しＷ２信号を出力する。ＲＧＢ信号変換手段４はＲＧＢ入力信号からＷ２成分を減じたＲ１、Ｇ１、Ｂ１信号を作成しＥＬディスプレイ４に入力する。画素ずらし手段５はＷ２信号とＲ１、Ｇ１、Ｂ１信号をＥＬディスプレイの４つの副画素の配置位置に応じて遅延させ、ＥＬディスプレイに表示するためのＷｏｕｔ、Ｒｏｕｔ、Ｇｏｕｔ、Ｂｏｕｔ信号を出力する
図２は、本発明の実施例における高周波部検出手段２の構成を示すブロック図である。また、図３（ａ）〜（ｄ）は高周波部検出手段２において高周波信号が入力された場合の信号波形の概念図である。図２に示す高周波部検出手段は、Ｗ１信号の高周波成分を抽出するＨＰＦ７と、ＨＰＦ７から出力される正負両波の高周波成分を正側のみの信号とするための絶対値化手段８と、絶対値化手段８の出力を平滑するＬＰＦ９と、ＬＰＦ９の出力データのレベルを補正するレベル補正手段１０を有し、Ｗ１信号に高周波成分がある場合には、前記Ｗ信号補正手段のゲインを減じるような制御信号を出力する。
【００２６】
また、図４（ａ）は、ＨＰＦ７の帯域を示す概念図であるが、このＨＰＦの帯域は、４色ＥＬディスプレイが画素ずらしを実施しない場合に（４つの副画素に遅延の無い同じ時間にサンプリングされたデータを表示する場合）おいても表示可能な周波数は必要ないため、この場合に表示可能な最大周波数以上を抽出できればよい。詳しくは、後述するが、本実施例においては高周波部検出手段２の出力信号がＨ信号の場合は、画素ずらしによる解像度向上の効果が得られるが、その部分の電力は増加する。したがって、前記最大周波数以下の周波数帯域のデータを抽出した場合、画素ずらしによる周波数向上効果に影響を及ぼすことは無いが、画素ずらしに必要の無いデータにおいても不要な電力の上昇を招く。このため、前記最大周波数以下の周波数帯域のデータは可能な限りカットすることが望ましい。
【００２７】
一方、図４（ｂ）のように４色ＥＬディスプレイが画素ずらしを実施した場合でも表示できない高い周波数をカットし、同様に電力の低減を図ることが可能である。また、画素ずらしを実施した場合の折り返しや偽色の低減を図ることも可能である。その場合、ＨＰＦ７をＢＰＦに変更することが必要である。
【００２８】
図５（ａ）は、レベル補正手段１０の動作を示す概念図である。レベル補正手段１０の入力レベルであるＬＰＦ７から出力されるデータが非常に小さい場合は、ノイズ等である可能性が高いため図５（ａ）に示すように、レベル補正手段の出力をＬにすることが望ましい。その一方で、レベル補正手段１０の入力が比較的低振幅の信号の場合においても、画素ずらしによる解像度向上が必要であるため図５（ａ）に示すように急峻にＨレベルにすることが望ましい。もちろん、電力を優先するために図５（ｂ）のようなレベル補正出力とすることも、図５（ａ）と（ｂ）を画面全体の輝度や電力に応じ、適応的に切り替えることも同様に可能である。
【００２９】
図６は、本発明の実施例におけるＷ信号補正手段３の構成を示すブロック図である。
【００３０】
Ｗ信号補正手段３は、Ｗ１入力信号に高周波部検出手段２の出力を乗ずるための乗算手段１１と、乗算手段１１の出力を補正するゲイン補正手段１２と、Ｗ１入力信号よりゲイン補正手段１２の出力信号を減じる減算手段１３を有し、高周波部検出手段２の出力に基づいて、Ｗ１信号のゲインを制御し、Ｗ２信号を出力する。ここで、Ｗ信号補正手段３は、Ｗ１信号にあるレベル以上の高周波成分が存在し、高周波部検出手段２の出力信号がＨ（１）となる場合、画素ずらしによる解像度向上が最も効果的に行われるようなＷ２信号を出力する。例えば、パネルに表示するＷとＲ＋Ｇ＋Ｂが概ね同じ輝度になるようにすることで画素ずらしによる解像度向上が最も効果的に行われるような場合に、このような表示がＷｏｕｔ＝Ｒｏｕｔ＋Ｇｏｕｔ＋Ｂｏｕｔで実現できると仮定する。この時、高周波部検出手段２の出力信号がＨ（１）であるから、乗算手段１１の出力はＷ１のままである。ゲイン補正手段では入力される乗算手段の出力を１／２にし、減算手段１３でＷ１から現ずる。これによりＷ信号補正手段３からは０．５×Ｗ１が出力される。
【００３１】
尚、Ｗｏｕｔ＝Ｒｏｕｔ＋Ｇｏｕｔ＋Ｂｏｕｔによって画素ずらしの効果が最大とならない場合も、画素サイズやＲＧＢＷ間の輝度効率差等に生じる場合があるが、その場合はゲイン補正手段１２により調整を実施し、Ｗ信号補正手段の出力を変更することによって画素ずらしの効果を最大とすることが可能なことは、明らかである。
【００３２】
このように、Ｗ信号補正手段から得られたＷ２信号（例では０．５×Ｗ１）を、ＲＧＢ信号変換手段４に入力し、ＲＧＢ入力信号から減じたＲ１、Ｇ１、Ｂ１信号を作成する。入力が無彩色信号の場合で、Ｗ信号補正手段３からの出力が０．５×Ｗ１の場合は、Ｒ１、Ｇ１、Ｂ１全てが０．５×Ｗ１のレベルとなる。
【００３３】
尚、本発明の画素ずらし手段の構成を示すブロック図を図１２に示す。図１２は従来例と同じである。
【００３４】
次に、このようなＲ１、Ｇ１、Ｂ１、Ｗ１信号が入力された場合の画素ずらしについて説明する。
【００３５】
図６に本発明の実施例のＥＬディスプレイにおいて高周波の無彩色を表示した場合の概念図を示す。図６に示すように無彩色の白色を表示した場合においても、高周波信号を有する場合、ＥＬディスプレイ６はＷ画素のみでなく、ＲＧＢ画素も発光する。そのため、図１４に示すような高周波信号が入力された場合、ＥＬディスプレイは表示イメージに示されるように、入力画像に近い周波数を表示することが可能になる。
【００３６】
ここで、画素ずらし手段の別の構成を示すブロック図を図８に示す。図８は１画素内における副画素の配列がＲＧＢＷの順番の場合の例である。
【００３７】
図８はＲ、Ｇ、Ｂの各信号を１副画素分遅延させる遅延手段２１と、Ｗ信号を３画素分遅延させる遅延手段２２を有し、ＲＧＢを１副画素、Ｗを１副画素とみなして画素ずらしを行う。図９は、図８の構成の画素ずらしをおこなった場合のＥＬディスプレイ６において高周波の無彩色を表示した場合の概念図を示す。このように輝度成分の高いＷとＧ信号の間を等間隔とした上で、ＲＧＢを１副画素とみなした画素ずらしを実施することにより、高周波部における偽色の発生を抑制し、実質的な解像感の向上を図ることが可能である。
【００３８】
なお、上記の各実施例においては、本発明をＥＬディスプレイ表示装置に適用した場合について説明したが、同様の表示特性を有する他のディスプレイ表示装置についても、当然適用可能である。
【産業上の利用可能性】
【００３９】
本発明は入力画像信号に応じた画像を表示するディスプレイ表示装置、特にＥＬディスプレイ表示装置に有用である。
【図面の簡単な説明】
【００４０】
【図１】本発明の実施例によるＥＬディスプレイ装置の構成を示すブロック図
【図２】本発明の実施例のおける高周波部検出手段の構成を示すブロック図
【図３】本発明の実施例のおける高周波部検出手段の動作を示す概念図
【図４】本発明の実施例のおけるＨＰＦの帯域を示す概念図
【図５】本発明の実施例のおけるレベル補正手段の動作を示す概念図
【図６】本発明の実施例のおけるＷ信号補正手段の構成を示すブロック図
【図７】本発明の実施例のおいて高周波の無彩色信号を表示した場合を説明する概念図
【図８】本発明の実施例のおける別の形態の画素ずらし手段の構成を示すブロック図
【図９】本発明の実施例のおいて別の形態の画素ずらし手段を用いた場合の高周波の無彩色信号を表示した場合を説明する概念図
【図１０】従来のＥＬディスプレイ装置の構成を示すブロック図
【図１１】ＥＬディスプレイ装置の画素構成の例を示す図
【図１２】４色ＥＬディスプレイ装置における画素ずらし手段の構成を示すブロック図
【図１３】従来のＥＬディスプレイ装置において無彩色信号を入力した場合の動作を示す概念図
【図１４】従来のＥＬディスプレイ装置において高周波の無彩色信号を表示した場合を説明する概念図
【図１５】無彩色信号の場合においても画素ずらしの効果を高める為の動作を示す概念図
【図１６】一般的な有機ＥＬディスプレイの温度と輝度半減寿命の相関を示す概念図
【符号の説明】
【００４１】
１    Ｗ信号変換手段
２    高周波部検出手段
３    Ｗ信号補正手段
４    ＲＧＢ信号変換手段
５    画素ずらし手段
６    ＥＬディスプレイ
７    ＨＰＦ
８    絶対値化手段
９    ＬＰＦ
１０    レベル補正手段
１１    乗算手段
１２    ゲイン補正手段
１３    減算手段
２１    遅延手段１（別の形態の画素ずらし手段）
２２    遅延手段２（別の形態の画素ずらし手段）
１０１    遅延手段１
１０２    遅延手段２
１０３    遅延手段３
【図１】
2006243439.tif 000003
【図２】
2006243439.tif 000004
【図３】
2006243439.tif 000005
【図４】
2006243439.tif 000006
【図５】
2006243439.tif 000007
【図６】
2006243439.tif 000008
【図７】
2006243439.tif 000009
【図８】
2006243439.tif 000010
【図９】
2006243439.tif 000011
【図１０】
2006243439.tif 000012
【図１１】
2006243439.tif 000013
【図１２】
2006243439.tif 000014
【図１３】
2006243439.tif 000015
【図１４】
2006243439.tif 000016
【図１５】
2006243439.tif 000017
【図１６】
2006243439.tif 000018